【手続補正書】
【提出日】平成28年4月5日(2016.4.5)
【手続補正１】
【補正対象書類名】特許請求の範囲
【補正対象項目名】全文
【補正方法】変更
【補正の内容】
【特許請求の範囲】
【請求項１】
第１及び第２の光源と、
該第１及び第２の光源から出射した第１及び第２の光束を偏向し、第１及び第２の被走査面を主走査方向に走査する偏向器と、
前記第１及び第２の光源と前記偏向器との間に配置され、前記第１及び第２の光束の主走査方向における幅を規制する第１の開口部が設けられた第１の絞りと、
を備えることを特徴とする光走査装置。
【請求項２】
前記第１及び第２の光源と前記第１の絞りとの間に配置され、前記第１及び第２の光束の副走査方向における幅を規制する第２の絞りを備えることを特徴とする請求項１に記載の光走査装置。
【請求項３】
前記第１及び第２の光源のそれぞれは、複数の発光点を有することを特徴とする請求項１又は２に記載の光走査装置。
【請求項４】
前記偏向器によって偏向された前記第１及び第２の光束を前記第１及び第２の被走査面に導光する結像光学系を備え、
前記第１の開口部の副走査方向における幅をＤｓ、前記偏向器の偏向面での前記第１及び第２の光束の主光線同士の副走査方向における離間量をΔｚ、前記第１の絞りから前記偏向面までの距離をＬ、前記結像光学系の副走査断面内での倍率をβｓ、トランケーション因子をｋ、前記第１及び第２の光束の波長をλ、前記第１及び第２の光束の前記第１及び第２の被走査面での副走査方向におけるスポット径をρｓ、前記第１及び第２の光束の前記偏向面に対する副走査断面内での入射角をθ、とするとき、
【数１】
2015135424.tif 000001
なる条件を満足することを特徴とする請求項請求項１乃至３のいずれか１項に記載の光走査装置。
【請求項５】
前記第１の開口部の副走査方向における一端は、開放されていることを特徴とする請求項１乃至４のいずれか一項に記載の光走査装置。
【請求項６】
前記偏向器は、前記第１及び第２の光束を第１の偏向面により偏向することを特徴とする請求項１乃至５のいずれか一項に記載の光走査装置。
【請求項７】
前記第１の光源から前記第１の偏向面に至る光路と前記第２の光源から前記第１の偏向面に至る光路とは、それぞれを主走査断面に投影したとき互いに重なることを特徴とする請求項６に記載の光走査装置。
【請求項８】
第３及び第４の光源を備え、前記偏向器は、前記第３及び第４の光源から出射した第３及び第４の光束を第２の偏向面により偏向して第３及び第４の被走査面を走査することを特徴とする請求項６又は７に記載の光走査装置。
【請求項９】
前記第１の絞りには、前記第３及び第４の光束が通過する第２の開口部が設けられていることを特徴とする請求項８に記載の光走査装置。
【請求項１０】
前記第３の光源から前記第２の偏向面に至る光路と前記第４の光源から前記第２の偏向面に至る光路とは、それぞれを主走査断面に投影したとき互いに重なることを特徴とする請求項８又は９に記載の光走査装置。
【請求項１１】
第３及び第４の光源を含み、前記偏向器は、前記第３及び第４の光源から出射した第３及び第４の光束を前記第１の偏向面により偏向し、第３及び第４の被走査面を走査することを特徴とする請求項６に記載の光走査装置。
【請求項１２】
前記第１乃至第４の光束は、前記第１の開口部を通過することを特徴とする請求項１１に記載の光走査装置。
【請求項１３】
第３及び第４の光源を備え、前記第１の絞りには、前記第３及び第４の光源から出射した第３及び第４の光束が通過する第２の開口部が設けられていることを特徴とする請求項６に記載の光走査装置。
【請求項１４】
前記第１乃至第４の光源と前記第１の絞りとの間に配置され、前記第１乃至第４の光束の副走査方向における幅を規制する第３乃至第６の開口部が設けられた第２の絞りを備えることを特徴とする請求項８乃至１４のいずれか一項に記載の光走査装置。
【請求項１５】
前記第１乃至第４の光源と前記第１の絞りとの間に配置され、前記第１及び第３の光束の副走査方向における幅を規制する第３の開口部と、前記第２及び第４の光束の副走査方向における幅を規制する第４の開口部と、が設けられた第２の絞りを備えることを特徴とする請求項８乃至１４のいずれか一項に記載の光走査装置。
【請求項１６】
副走査断面内において、前記第１及び第２の光束を前記偏向器の偏向面に斜入射させる入射光学系を備えることを特徴とする請求項１乃至１５のいずれか一項に記載の光走査装置。
【請求項１７】
前記第１の絞り以外に、前記第１及び第２の光束の主走査方向における幅を規制する部材を備えないことを特徴とする請求項１乃至１６のいずれか一項に記載の光走査装置。
【請求項１８】
前記第１の絞りには、光源の数よりも少ない数の開口部が設けられていることを特徴とする請求項１乃至１７のいずれか一項に記載の光走査装置。
【請求項１９】
請求項１乃至１８のいずれか一項に記載の光走査装置と、該光走査装置により前記第１及び第２の被走査面に形成される静電潜像をトナー像として現像する現像器と、現像された前記トナー像を被転写材に転写する転写器と、転写された前記トナー像を前記被転写材に定着させる定着器と、を備えることを特徴とする画像形成装置。
【請求項２０】
請求項１乃至１８のいずれか一項に記載の光走査装置と、外部機器から出力された信号を画像データに変換して前記光走査装置に入力するプリンタコントローラと、を備えることを特徴とする画像形成装置。
【手続補正２】
【補正対象書類名】明細書
【補正対象項目名】０００５
【補正方法】変更
【補正の内容】
【０００５】
本発明による光走査装置は、第１及び第２の光源と、第１及び第２の光源から出射した第１及び第２の光束を偏向し、第１及び第２の被走査面を主走査方向に走査する偏向器と、第１及び第２の光源と偏向器との間に配置され、第１及び第２の光束の主走査方向における幅を規制する第１の開口部が設けられた第１の絞りと、を備えることを特徴とする。
【手続補正３】
【補正対象書類名】明細書
【補正対象項目名】００１８
【補正方法】変更
【補正の内容】
【００１８】
具体的に、上記（１）式は、次のように求められる。偏向器６の偏向面上での発光点ＬＤ１から出射した光束と発光点ＬＤ４から出射した光束との間の間隔をＭ、発光点ＬＤ１から出射した光束のコリメータレンズ３ａ乃至３ｄ通過後の主光線の角度をαとする。ここで、主光線とは、絞りの中心を通過する光束である。主走査方向の幅を規制する絞りと副走査方向の幅を規制する絞りが別個に存在する場合には、副走査方向の規制幅の中心の平面（主走査断面）内を通過する光線のうち、主走査方向の規制幅の中心の平面（副走査断面）を通る光束を指す。また、発光点ＬＤ１から出射した光束の被走査面１５ａ乃至１５ｄへ入射する主光線の角度をβとする。このとき、
Ｗｍ／２＝ｆｃｏｌ×ｔａｎα
Ｍ／２＝Ｌ×ｔａｎα
Ｍ／２＝ｆｆθ×ｔａｎβ
ΔＹ／２＝１×ｔａｎβ
より、上記（１）式が得られる。
【手続補正４】
【補正対象書類名】明細書
【補正対象項目名】００５４
【補正方法】変更
【補正の内容】
【００５４】
本実施形態の光走査装置１００の主走査絞り５の開口部５１及び５２の副走査方向幅Ｄｓは、条件式（９）を満足している。
なお、条件式（９）を満足しない場合は、主走査絞り５で光束の副走査方向における幅を規制してしまうので好ましくない。
【手続補正５】
【補正対象書類名】明細書
【補正対象項目名】００５５
【補正方法】変更
【補正の内容】
【００５５】
以上のように、マルチビーム光走査装置において、主走査絞りが有する開口部の数を光源の数より少なくし、主走査絞りを含む入射光学系と結像光学系の構成を適切に設定することにより、低価格で高精細な光走査装置を提供することができる。また、本発明の光走査装置をカラー画像形成装置に利用することにより、色ずれのない高精細なカラー画像を得ることができる。
【手続補正６】
【補正対象書類名】明細書
【補正対象項目名】００７０
【補正方法】変更
【補正の内容】
【００７０】
本実施形態の光走査装置２００の主走査絞り５の開口部５３の副走査方向幅Ｄｓは、条件式（１３）を満足している。
なお、条件式（１３）を満足しない場合は、主走査絞り５で光束の副走査方向における幅を規制してしまうので好ましくない。
【手続補正７】
【補正対象書類名】明細書
【補正対象項目名】００７１
【補正方法】変更
【補正の内容】
【００７１】
以上のように、マルチビーム光走査装置において、主走査絞りが有する開口部の数を光源の数より少なくし、主走査絞りを含む入射光学系と結像光学系の構成を適切に設定することにより、低価格で高精細な光走査装置を提供することができる。また、本発明の光走査装置をカラー画像形成装置に利用することにより、色ずれのない高精細なカラー画像を得ることができる。
【手続補正８】
【補正対象書類名】明細書
【補正対象項目名】００８８
【補正方法】変更
【補正の内容】
【００８８】
本実施形態の光走査装置３００の主走査絞り５の開口部５４の副走査方向幅Ｄｓは１０ｍｍなので、条件式（１７）を満足している。
なお、条件式（１７）を満足しない場合は、主走査絞り５で光束の副走査方向における幅を規制してしまうので好ましくない。
【手続補正９】
【補正対象書類名】明細書
【補正対象項目名】００８９
【補正方法】変更
【補正の内容】
【００８９】
以上のように、マルチビーム光走査装置において、主走査絞りが有する開口部の数を光源の数より少なくし、主走査絞りを含む入射光学系と結像光学系の構成を適切に設定することにより、低価格で高精細な光走査装置を提供することができる。また、本発明の光走査装置をカラー画像形成装置に利用することにより、色ずれのない高精細なカラー画像を得ることができる。